【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
車両が乗り入れる乗入部と、
前記乗入部へ前記車両が出入りするための扉と、
前記扉が目視できる位置に設けられた操作盤と、
前記扉の閉め忘れを検知する検知手段と、
前記検知手段によって前記扉の閉め忘れが検知された場合に、前記操作盤を介して入力された認証情報に基づいて予め登録されている利用者か否かの認証を行う認証手段と
を備え、
前記扉の閉め忘れが検知された場合に、前記扉の開扉操作を行った利用者とは異なる利用者であって、前記認証に成功した利用者による閉扉操作を可能とする機械式駐車装置。
【請求項２】
前記操作盤には、認証情報を人が入力するための入力部が設けられている請求項１に記載の機械式駐車装置。
【請求項３】
前記認証情報は、利用者が携帯する送信機に記憶された認証情報が前記操作盤に対して送信されることによって入力される請求項１に記載の機械式駐車装置。
【請求項４】
前記認証情報は、前記操作盤からの電力供給を受けた前記送信機から送信される請求項３に記載の機械式駐車装置。
【請求項５】
前記認証手段による認証に成功した場合に、前記乗入部の安全確認を促し、安全確認がされた後に、前記閉扉操作を可能とする請求項１から４のいずれかに記載の機械式駐車装置。
【請求項６】
車両が乗り入れる乗入部と、前記乗入部へ前記車両が出入りするための扉と、前記扉が目視できる位置に設けられた操作盤とを備える機械式駐車装置の制御方法であって、
前記扉の閉め忘れを検知する閉め忘れ検知工程と、
前記扉の閉め忘れが検知された場合に、前記操作盤を介して入力された認証情報に基づいて予め登録されている利用者か否かの認証を行う認証工程と、
を有し、
前記扉の閉め忘れが検知された場合に、前記扉の開扉操作を行った利用者とは異なる利用者であって、前記認証に成功した利用者による閉扉操作を可能とする機械式駐車装置の制御方法。
【手続補正２】
【補正対象書類名】明細書
【補正対象項目名】発明の名称
【補正方法】変更
【補正の内容】
【発明の名称】機械式駐車装置及び機械式駐車装置の制御方法
【手続補正３】
【補正対象書類名】明細書
【補正対象項目名】０００８
【補正方法】変更
【補正の内容】
【０００８】
上記課題を解決するために、本発明の機械式駐車装置及び機械式駐車装置の制御方法は以下の手段を採用する。
【手続補正４】
【補正対象書類名】明細書
【補正対象項目名】０００９
【補正方法】変更
【補正の内容】
【０００９】
本発明の第一態様に係る機械式駐車装置は、車両が乗り入れる乗入部と、前記乗入部へ前記車両が出入りするための扉と、前記扉が目視できる位置に設けられた操作盤と、前記扉の閉め忘れを検知する検知手段と、前記検知手段によって前記扉の閉め忘れが検知された場合に、前記操作盤を介して入力された認証情報に基づいて予め登録されている利用者か否かの認証を行う認証手段とを備え、前記扉の閉め忘れが検知された場合に、前記扉の開扉操作を行った利用者とは異なる利用者であって、前記認証に成功した利用者による閉扉操作を可能とする。
本発明の第２態様に係る機械式駐車装置の制御方法は、車両が乗り入れる乗入部と、前記乗入部へ前記車両が出入りするための扉と、前記扉が目視できる位置に設けられた操作盤とを備える機械式駐車装置の制御方法であって、前記扉の閉め忘れを検知する閉め忘れ検知工程と、前記扉の閉め忘れが検知された場合に、前記操作盤を介して入力された認証情報に基づいて予め登録されている利用者か否かの認証を行う認証工程と、を有し、前記扉の閉め忘れが検知された場合に、前記扉の開扉操作を行った利用者とは異なる利用者であって、前記認証に成功した利用者による閉扉操作を可能とする。
【手続補正５】
【補正対象書類名】明細書
【補正対象項目名】００１０
【補正方法】変更
【補正の内容】
【００１０】
本発明の参考例としての他の態様に係る機械式駐車装置の制御装置は、車両が載置されるパレットが格納部と乗入部との間で移動し、前記乗入部へ前記車両が出入りするための扉が閉め忘れられた場合に利用者によって該扉の閉操作が可能な機械式駐車装置であって、前記扉の閉め忘れを検知する検知手段と、前記検知手段によって前記扉の閉め忘れが発生した場合に、前記機械式駐車装置に対する操作が利用者によって入力される操作盤に、前記扉の閉操作を促す情報を表示させる表示指示手段と、を備える。
本構成にかかる機械式駐車装置は、車両が載置されるパレットが格納部と乗入部との間で移動する。乗入部へ車両が出入りするための扉の閉操作は、利用者によって行われる。このため、乗入部の扉の閉め忘れが発生する場合がある。また、本構成は、扉が閉め忘れられた場合に利用者によって該扉の閉操作が可能とされている。
【手続補正６】
【補正対象書類名】明細書
【補正対象項目名】００１２
【補正方法】変更
【補正の内容】
【００１２】
上記他の態様では、閉め忘れられた前記扉は、予め登録されている前記利用者による閉操作が可能とされることが好ましい。
【手続補正７】
【補正対象書類名】明細書
【補正対象項目名】００１４
【補正方法】変更
【補正の内容】
【００１４】
上記他の態様では、前記閉操作を行った前記利用者の車両の出庫が優先して実行されることが好ましい。
【手続補正８】
【補正対象書類名】明細書
【補正対象項目名】００１６
【補正方法】変更
【補正の内容】
【００１６】
上記他の態様では、前記操作盤が、前記扉に対して遠隔位置に設けられ、前記利用者による出庫予約又は入庫予約が可能とされることが好ましい。
【手続補正９】
【補正対象書類名】明細書
【補正対象項目名】００１８
【補正方法】変更
【補正の内容】
【００１８】
上記他の態様では、前記操作盤が、前記利用者が所持し、利用者認証情報を信号化したＩＤ信号及び前記扉の閉操作信号を送信することができるリモコン送信機による操作の入力を受け付けることが好ましい。
【手続補正１０】
【補正対象書類名】明細書
【補正対象項目名】００２０
【補正方法】変更
【補正の内容】
【００２０】
上記他の態様では、前記扉を閉め忘れた利用者が所有する予め登録された携帯端末装置へ、前記扉の閉め忘れに関する情報を送信することが好ましい。
【手続補正１１】
【補正対象書類名】明細書
【補正対象項目名】００２２
【補正方法】変更
【補正の内容】
【００２２】
上記他の態様では、前記扉を閉め忘れた利用者に関する情報を記憶し、該利用者が前記機械式駐車装置に対する操作を行う場合に、前記操作盤に前記扉の閉め忘れを防止するための情報を表示させることが好ましい。
【手続補正１２】
【補正対象書類名】明細書
【補正対象項目名】００２４
【補正方法】変更
【補正の内容】
【００２４】
本発明の参考例としての他の態様に係る機械式駐車装置は、車両が載置されるパレットを格納する格納部と、前記格納部との間で前記パレットが移動させる乗入部と、前記乗入部へ車両が出入りするための扉と、上記記載の制御装置と、を備える。
【手続補正１３】
【補正対象書類名】明細書
【補正対象項目名】００２５
【補正方法】変更
【補正の内容】
【００２５】
本発明の参考例としての他の態様に係る機械式駐車装置の制御方法は、車両が載置されるパレットが格納部と乗入部との間で移動し、前記乗入部へ前記車両が出入りするための扉が閉め忘れられた場合に利用者によって該扉の閉操作が可能な機械式駐車装置の制御方法であって、前記扉の閉め忘れを検知する第１工程と、前記扉の閉め忘れが検知された場合に、機械式駐車装置に対する操作が利用者によって入力される操作盤に、前記扉の閉操作を促す情報を表示させる第２工程と、を含む。
【手続補正１４】
【補正対象書類名】明細書
【補正対象項目名】００２８
【補正方法】変更
【補正の内容】
【００２８】
以下に、本発明に係る機械式駐車装置及び機械式駐車装置の制御方法の一実施形態について、図面を参照して説明する。